(57)【要約】【課題】安価でデザイン性の優れた外装キャビネットを備えたディスプレイ装置を提供することを目的とする。【解決手段】表示パネル２０およびこの表示パネル２０に画像を表示するための駆動回路を搭載した回路基板を備えた表示モジュールと、前記表示パネル２０の周縁部に配置される金属製のフレーム２５と、前記表示モジュールを収容する外装キャビネットとを有し、前記外装キャビネットは、前記表示パネル２０の前面側に前記フレーム２５を覆うように配置される飾りパネル２２と、前記表示モジュールの背面側を覆うバックカバー２３とを備え、かつ前記飾りパネル２２は、着色された光透過性の樹脂材料により構成するとともに、前記フレーム２５上に配置される部分に連続的に肉厚変化させた偏肉部２２ｂを形成した。【選択図】図５
2012247725.tif 000002
【特許請求の範囲】
【請求項１】
表示パネルおよびこの表示パネルに画像を表示するための駆動回路を搭載した回路基板を備えた表示モジュールと、前記表示パネルの周縁部に配置される金属製のフレームと、前記表示モジュールを収容する外装キャビネットとを有し、前記外装キャビネットは、前記表示パネルの前面側に前記フレームを覆うように配置される飾りパネルと、前記表示モジュールの背面側を覆うバックカバーとを備え、かつ前記飾りパネルは、着色された光透過性の樹脂材料により構成するとともに、前記フレーム上に配置される部分に連続的に肉厚を変化させた偏肉部を形成したことを特徴とするディスプレイ装置。
【請求項２】
前記フレームは、飾りパネルの偏肉部と対応する部分に鏡面仕上げの表面を有することを特徴とする請求項１に記載のディスプレイ装置。
【請求項３】
前記フレームと飾りパネルとは、互いに接するように重ね合わせたことを特徴とする請求項１に記載のディスプレイ装置。
【請求項４】
表示パネルを金属製の保持板の前面側に保持しかつ保持板の背面側に表示パネルに画像を表示するための駆動回路を搭載した回路基板を配置して構成した表示モジュールと、前記表示パネルの前面側に配置された電磁遮蔽フィルタと、前記表示パネルの周縁部に配置され前記電磁遮蔽フィルタと前記保持板とを電気的に接続する金属製のフレームと、前記表示モジュールを収容する外装キャビネットとを有し、前記外装キャビネットは、前記表示パネルの前面側に前記フレームを覆うように配置される飾りパネルと、前記表示モジュールの背面側を覆うバックカバーとを備え、かつ前記飾りパネルは、着色された光透過性の樹脂材料により構成するとともに、前記フレーム上に配置される部分に連続的に肉厚を変化させた偏肉部を形成したことを特徴とするディスプレイ装置。
【請求項５】
前記フレームは、飾りパネルの偏肉部と対応する部分に鏡面仕上げの表面を有することを特徴とする請求項４に記載のディスプレイ装置。
【請求項６】
前記フレームと飾りパネルとは、互いに接するように重ね合わせたことを特徴とする請求項４に記載のディスプレイ装置。
【発明の詳細な説明】
【技術分野】
【０００１】
本発明は、薄型、軽量のプラズマディスプレイパネル（以下、パネルという）を表示デバイスとして用いたプラズマディスプレイ装置などの平面型のディスプレイ装置に関するものである。
【背景技術】
【０００２】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のものである。
【０００３】
この面放電型のプラズマディスプレイパネル構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなプラズマディスプレイ装置においては、ガラスが主材料のパネルをアルミニウムなどの金属製のシャーシ部材の前面側に保持させ、そのシャーシ部材の背面側にパネルを発光させるための駆動回路を構成する回路基板を配置することによりモジュールを構成している（特許文献１参照）。
【先行技術文献】
【特許文献】
【０００６】
【特許文献１】特開２００５−３３１５５６号公報
【発明の概要】
【発明が解決しようとする課題】
【０００７】
本発明はこのような現状に鑑みなされたもので、安価でデザイン性の優れた外装キャビネットを備えたディスプレイ装置を提供することを目的とするものである。
【課題を解決するための手段】
【０００８】
上記目的を達成するために本発明のディスプレイ装置は、表示パネルおよびこの表示パネルに画像を表示するための駆動回路を搭載した回路基板を備えた表示モジュールと、前記表示パネルの周縁部に配置される金属製のフレームと、前記表示モジュールを収容する外装キャビネットとを有し、前記外装キャビネットは、前記表示パネルの前面側に前記フレームを覆うように配置される飾りパネルと、前記表示モジュールの背面側を覆うバックカバーとを備え、かつ前記飾りパネルは、着色された光透過性の樹脂材料により構成するとともに、前記フレーム上に配置される部分に連続的に肉厚変化させた偏肉部を形成したことを特徴とする。
【発明の効果】
【０００９】
本発明によれば、飾りパネルの偏肉部を入射した光がフレーム表面で反射する際、偏肉部の肉厚の変化に応じて、反射する光量も変化し、視覚的に立体的でかつグラデーション効果のあるデザインが得られることになる。しかも、表示パネルの周縁部に配置される金属製のフレームに、連続的に肉厚変化させた偏肉部を形成した飾りパネルを配置する簡単な構成で実現できるため、安価に構成することができる。
【図面の簡単な説明】
【００１０】
【図１】本発明の一実施の形態によるプラズマディスプレイ装置に用いるパネルの構造を示す斜視図
【図２】同パネルの電極配列図
【図３】同プラズマディスプレイ装置の外観を示す斜視図
【図４】同プラズマディスプレイ装置の全体構成を示す分解斜視図
【図５】図４に示すプラズマディスプレイ装置の要部構造を示す断面図
【図６】本発明の他の実施の形態によるプラズマディスプレイ装置を示す分解斜視図
【図７】図６に示すプラズマディスプレイ装置の要部構造を示す断面図
【発明を実施するための形態】
【００１１】
以下、本発明の一実施の形態によるディスプレイ装置について、プラズマディスプレイ装置を例にとって、図１〜図７を用いて説明するが、本発明の実施の態様はこれに限定されるものではない。
【００１２】
まず、プラズマディスプレイ装置におけるパネルの構造について図１を用いて説明する。図１に示すように、パネルは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３および維持電極４を覆うように誘電体層５が形成され、誘電体層５上には保護層６が形成されている。
【００１３】
また、背面基板２上には絶縁体層７で覆われた複数のデータ電極８が設けられ、その絶縁体層７上には井桁状の隔壁９が設けられている。また、絶縁体層７の表面および隔壁９の側面に蛍光体層１０が設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１４】
図２はこのパネルの電極配列図である。行方向にｎ本の走査電極ＳＣ１〜ＳＣｎ（図１の走査電極３）およびｎ本の維持電極ＳＵ１〜ＳＵｎ（図１の維持電極４）が配列され、列方向にｍ本のデータ電極Ｄ１〜Ｄｍ（図１のデータ電極８）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１５】
図３に上記で説明した構造のパネルを組み込んだ本発明の一実施の形態によるプラズマディスプレイ装置の外観を示し、図４に上記で説明した構造のパネルを組み込んだ本発明の一実施の形態によるプラズマディスプレイ装置の全体構成を示している。
【００１６】
図３、図４に示すように、表示パネル２０は、アルミニウムなどの金属製の保持板２１の前面側に保持されている。この保持板２１の背面側には、表示パネル２０に画像を表示するための駆動回路を搭載した回路基板（図示せず）が配置され、これにより表示モジュールが構成されている。前記表示モジュールは、着色された光透過性の樹脂材料により構成した前面側の飾りパネル２２と表示モジュールの背面側を覆う金属製のバックカバー２３とからなる外装キャビネットに収容される。
【００１７】
前記表示パネル２０の前面側には、電磁遮蔽フィルタ２４を含む光学フィルタが配置され、その電磁遮蔽フィルタ２４は、前記表示パネル２０の周縁部に配置された枠体形状の金属製のフレーム２５により、前記保持板２１に電気的に接続されている。前記フレーム２５は、前記表示パネル２０の表示領域２０ａに対応するように開口部２５ａが設けられている。すなわち、フレーム２５は、アルミニウムやステンレスなどの高輝金属を用いて形成され、表示パネル２０の表示領域の周辺部の非表示領域を覆うように配置されている。
【００１８】
前記外装キャビネットにおいて、前記フレーム２５を覆うように配置される飾りパネル２２は、前記表示パネル２０の表示領域２０ａに対応するように開口部２２ａを備え、前記フレーム２５と飾りパネル２２とは、互いに接するように重ね合わされている。
【００１９】
図５は図４に示すプラズマディスプレイ装置の要部構造を示す断面図である。
【００２０】
図５に示すように、前記飾りパネル２２の前面には、前記フレーム２５上に配置される部分に連続的に肉厚を変化させた偏肉部２２ｂを有しており、この偏肉部２２ｂを形成した部分は、フレーム２５との間に空間２６が形成されている。また、前記フレーム２５は、飾りパネル２２の偏肉部２２ｂと対応する部分に鏡面仕上げの表面２５ｂを形成しており、飾りパネル２２の偏肉部２２ｂに入射した光は、フレーム２５の表面２５ｂで反射する際に、偏肉部２２ｂの肉厚の変化に応じて、反射する光量も変化し、視覚的に立体的でかつグラデーション効果のあるデザインが得られることになる。
【００２１】
また、前記表示パネル２０は、保持板２１の前面に、熱伝導性と弾性を有するシート２７を介して接着することにより保持されている。さらに、金属製のフレーム２５には、保持板２１がビス２８により電気的かつ機械的に接続され、また金属製のバックカバー２３がビス２９により電気的かつ機械的に接続されている。
【００２２】
また、飾りパネル２２の側面には、金属製のフレーム２５の側面に設けた切り起し片２５ｃが嵌り合う孔２２ｃが設けられており、フレーム２５上に飾りパネル２２を被せることにより、フレーム２５の切り起し片２５ｃが飾りパネル２２の孔２２ｃに嵌り合い、これにより、飾りパネル２２がフレーム２５に密着するように被せられることとなる。前記バックカバー２３は、フレーム２５に被せられた飾りパネル２２の側面を覆うように、配置されている。
【００２３】
ここで、本発明による外装キャビネットの立体的なグラデーション効果のデザインについて説明する。
【００２４】
上述したように、飾りパネル２２は、着色された光透過性の樹脂材料により構成するとともに、前記フレーム２５上に配置される前面の一部に連続的に肉厚を変化させた偏肉部２２ｂを形成した構成であり、そしてフレーム２５の前面は、鏡面仕上げの表面２５ｂとしているため、飾りパネル２２の表面から入射した光は、偏肉部２２ｂを透過して、フレーム２５の表面２５ｂに反射し、再び偏肉部２２ｂを透過して戻ってくる。その際、偏肉部２２ｂの肉厚の変化に応じて、戻ってくる光量も変化するため、立体的なグラデーション効果のあるデザインを実現できる。また、飾りパネル２２に用いる樹脂材料の着色の濃さを調整することでもデザインを変化させることができ、例えば薄い色調にすると、フレーム２５の金属感がより強調され、逆に濃い色調にするとダーク調の落ち着いたデザインを表現できる。
【００２５】
図６は本発明の他の実施の形態によるプラズマディスプレイ装置を示す分解斜視図、図７はその要部構造を示す断面図である。
【００２６】
この図６、図７に示す例においては、前記表示パネル２０の表示領域２０ａに対応するように透明な表示窓３０ａを有する平板形状のフロントパネル３０と、前記バックカバー２３とで外装キャビネットを構成したものである。フロントパネル３０は開口部を持たず、段差のない平面を有する形状で、フレーム２５の全体を覆う形状になっている。
【００２７】
そして、表示パネル２０の非表示領域を覆う部分、すなわちフレーム２５の前面に対応するフロントパネル３０の周縁部の前面には、光の透過性を有し、かつ着色された樹脂からなる飾りパネル３１が埋め込まれるように配置されている。さらに、飾りパネル３１の前面には、前記フレーム２５上に配置される部分に連続的に肉厚を変化させた偏肉部３１ａを有している。なお、前記フレーム２５は、飾りパネル３１の偏肉部３１ａと対応する部分に、鏡面仕上げの表面２５ｂを形成しており、飾りパネル３１の偏肉部３１ａに入射した光は、フレーム２５の表面２５ｂで反射する際に、偏肉部３１ａの肉厚の変化に応じて、反射する光量も変化し、視覚的に立体的でかつグラデーション効果のあるデザインが得られることになる。
【００２８】
以上説明したように本発明においては、表示パネル２０およびこの表示パネル２０に画像を表示するための駆動回路を搭載した回路基板を備えた表示モジュールと、前記表示パネル２０の周縁部に配置される金属製のフレーム２５と、前記表示モジュールを収容する外装キャビネットとを有し、前記外装キャビネットは、前記表示パネル２０の前面側に前記フレーム２５を覆うように配置される飾りパネル２２、３１と、前記表示モジュールの背面側を覆うバックカバー２３とを備え、かつ前記飾りパネル２２、３１は、着色された光透過性の樹脂材料により構成するとともに、前記フレーム２５上に配置される部分に連続的に肉厚を変化させた偏肉部２２ｂ、３１ａを形成したもので、飾りパネル２２、３１の表面から入射した光は、偏肉部２２ｂ、３１ａを透過して、フレーム２５の表面２５ｂに反射し、再び偏肉部２２ｂ、３１ａを透過して戻ってくる。その際、偏肉部２２ｂ、３１ａの肉厚の変化に応じて、戻ってくる光量も変化するため、立体的なグラデーション効果のあるデザインを実現できる。また、飾りパネル２２、３１に用いる樹脂材料の着色の濃さを調整することでもデザインを変化させることができ、例えば薄い色調にすると、フレーム２５の金属感がより強調され、逆に濃い色調にするとダーク調の落ち着いたデザインを表現できる。
【００２９】
なお、上記実施の形態においては、フレーム２５をアルミニウムやステンレスにより形成し、前面を鏡面仕上げとしたが、鏡面性のあるインキの塗装や印刷した鋼板、あるいは鏡面加工したシートをラミネートした鋼板を用いることも可能である。
【産業上の利用可能性】
【００３０】
以上のように本発明は、簡単な構成でディスプレイ装置のデザイン性を高める上で有用な発明である。
【符号の説明】
【００３１】
２０  表示パネル
２１  保持板
２２、３１  飾りパネル
２２ｂ、３１ａ  偏肉部
２３  バックカバー
２４  電磁遮蔽フィルタ
２５  フレーム
３０  フロントパネル
【図１】
2012247725.tif 000003
【図２】
2012247725.tif 000004
【図３】
2012247725.tif 000005
【図４】
2012247725.tif 000006
【図５】
2012247725.tif 000007
【図６】
2012247725.tif 000008
【図７】
2012247725.tif 000009